(57)【要約】【課題】同期信号に同期させた映像信号の調整を行う機能を安価に実現することのできる映像表示制御装置を得る。【解決手段】水平位置検出部３５は、デジタル映像信号３１ａと水平同期パルス３１ｂを入力し、水平同期パルス３１ｂに同期したデジタル映像信号３１ａのタイミングと、実際に入力したデジタル映像信号３１ａのタイミングとのずれ量に対応した映像遅延制御信号３５ａと水平同期遅延制御信号３５ｂを出力する。映像信号用遅延選択回路４６及び同期信号用遅延選択回路４７は、これら遅延制御信号３５ａ，に基づいて、フリップフロップ回路３６〜４０及びフリップフロップ回路４１〜４５のいずれかの出力を選択し、水平位置調整済みデジタル映像信号３２ａ及び水平位置調整済み水平同期パルス３２ｂとして出力する。【選択図】図２
2011234080.tif 000002
【特許請求の範囲】
【請求項１】
映像信号と同期信号とを入力し、当該同期信号に同期させて前記映像信号を出力する映像表示制御装置であって、
前記同期信号に基づく前記映像信号の予め決められたタイミングと実際の映像信号のタイミングとのずれを検知する位置検出手段と、
前記位置検出手段でずれを検知した場合、前記映像信号か前記同期信号のいずれかを遅延させ、前記予め決められたタイミングの映像信号として出力する信号調整手段とを備えた映像表示制御装置。
【請求項２】
信号調整手段は、映像信号を入力する複数の直列接続された映像信号用遅延回路と、同期信号を入力する複数の直列接続された同期信号用遅延回路と、前記複数の映像信号用遅延回路のいずれかの出力を選択する映像信号用選択回路と、前記複数の同期信号用遅延回路のいずれかの出力を選択する同期信号用選択回路とを備え、
位置検出手段で検知したずれの度合いが、前記同期信号に基づく前記映像信号の予め決められたタイミングより実際の映像信号のタイミングが早かった場合は、前記映像信号用選択回路が当該ずれ量に対応した映像信号用遅延回路の出力を選択し、前記同期信号に基づく前記映像信号の予め決められたタイミングより実際の映像信号のタイミングが遅かった場合は、前記同期信号用選択回路が当該ずれ量に対応した同期信号用遅延回路の出力を選択することを特徴とする請求項１記載の映像表示制御装置。
【請求項３】
位置検出手段は、同期信号に基づく映像信号の予め決められたタイミングと、実際の映像信号のタイミングとの差分値を演算する差分手段と、予め差分値と遅延量との関係を示す差分制御テーブルを有し、当該差分制御テーブルを参照して、前記差分手段が求めた差分値に対応した遅延量を示す遅延制御信号を出力する遅延量制御手段とを備えたことを特徴とする請求項１または請求項２記載の映像表示制御装置。
【請求項４】
位置検出手段は、外部より位置補正指示を受け付ける手段を備え、当該位置補正指示を受けた場合にずれ量の算出を行い、前記位置補正指示を受けていない場合は、それ以前に生成した遅延制御信号の状態を保持することを特徴とする請求項３記載の映像表示制御装置。
【請求項５】
請求項１から請求項４のうちのいずれか１項記載の映像表示制御装置を用い、当該映像表示制御装置は、映像信号と同期信号をアナログ出力カメラの出力信号から分離して取得し、かつ、前記映像表示制御装置からの映像信号に基づいて映像を表示する画像表示装置を備えたことを特徴とする映像監視装置。
【請求項６】
アナログ出力カメラの出力からデジタル映像信号と同期パルスとを取り出すＡ／Ｄ変換部を備え、
前記デジタル映像信号と同期パルスは、それぞれ映像表示制御装置の映像信号用遅延回路と同期信号用遅延回路とに入力され、かつ、位置検出手段は、前記デジタル映像信号を映像信号、前記同期パルスを同期信号としてずれ量を算出することを特徴とする請求項５記載の映像監視装置。
【発明の詳細な説明】
【技術分野】
【０００１】
本発明は、主として、監視カメラのＮＴＳＣ映像出力（アナログ出力）をデジタル変換してデジタルレコーダで記録可能なフォーマットに変換する映像監視装置に関し、特に、デジタルレコーダに接続された画像表示装置に監視カメラ映像を表示する際に画像の水平方向を自動的に補正する手段を有する映像表示制御装置及び映像監視装置に関するものである。
【背景技術】
【０００２】
近年、ビルや集合住宅等にカメラユニットとレコーダユニットからなる映像監視装置が広く設置されている。このような映像監視装置では、例えば、エレベータの籠内にＮＴＳＣコンポジット映像信号を出力するアナログ出力カメラ（画像サイズ６４０画素×４８０ライン）、その他のエントランス、廊下等は画像サイズ１２８０画素×９６０ラインを扱うことが可能なデジタル出力カメラを使用する。これは、デジタルカメラ出力はイーサネット（登録商標；以下省略）ケーブルを使用して伝送されるため、イーサネットケーブルの特性から１００ｍ以上の伝送が不可能であり、エレベータ籠内に設置されたカメラからの伝送距離（平均２００ｍ）に適さないためである。
【０００３】
従って、従来はアナログ出力カメラの映像はＮＴＳＣコンポジット映像信号インタフェースをもつデジタルレコーダで記録し、デジタル出力カメラの映像は、イーサネットインタフェースをもつデジタルレコーダで記録する必要があった。
【０００４】
一方、ＮＴＳＣコンポジット映像信号をイーサネットインタフェースに変換するＡ／Ｄ変換器を使用すれば、デジタルレコーダはイーサネットインタフェースのみで対応可能である。しかしながら、このようなＡ／Ｄ変換器を使用して変換した場合、映像がずれて表示されてしまうことがあった。例えば、本来なら図６（ａ）のように画像表示装置に表示される映像が、図６（ｂ）や図６（ｃ）の様に表示映像全体が水平方向（図６（ｂ）は画面右方、図６（ｃ）は画面左方）にずれ、図６（ａ）の破線で囲んだ箇所が表示されず、図６（ｂ）及び図６（ｃ）の一点破線で囲んだ箇所が黒く表示される場合があった。
【０００５】
図７は、Ａ／Ｄ変換器に入力されるＮＴＳＣコンポジット映像信号である。図７は横軸が時間、縦軸が信号振幅（電圧）を示す。図７（ａ）が正常な場合を示すが、図７（ｂ）に示すように正常時の映像信号領域より、時間的に早くなる場合や、図７（ｃ）に示すように正常時の映像信号領域より時間的に遅くなる場合がある。図６（ｂ）が示す映像表示例は、図７（ｃ）の状態の場合に発生する。
【０００６】
このように水平同期信号に対して映像信号領域がずれたために、表示装置に正しく表示できない場合に対処する装置としては、従来、例えば特許文献１に示されたようなものがあった。この装置は、ラインメモリに映像データを格納する際に、水平方向への位相ずれを調整したタイミングで書込みスタートパルスを生成し格納することで、映像表示の水平方向補正を実施していた。また、特許文献２に記載された従来の画像調整手段をもつマルチ画面表示処理装置でも、特許文献１に示された装置と同様に水平方向への位相ずれを調整した結果でメモリへの書込み制御を実施し、映像表示を補正していた。
【先行技術文献】
【特許文献】
【０００７】
【特許文献１】特許第３０６７０６７号公報
【特許文献２】特開平１０−１１２８２８号公報
【発明の概要】
【発明が解決しようとする課題】
【０００８】
ＮＴＳＣコンポジット映像信号出力を有するアナログ出力カメラを使用した映像監視装置においては、出力回路の精度に起因して映像水平同期信号と映像信号領域との間に位相差が発生しかつ位相差がばらつく場合があり、当該水平同期信号との位相差が発生した場合、画像表示装置上に図６（ｂ）または図６（ｃ）に示すように本来の見えるべき画像が見切れてしまい映像監視装置としての機能を満たさない場合がある。
【０００９】
このような問題を防ぐために、従来の画像表示装置は当該表示装置内に画像水平方向調整手段を具備していたが、表示装置内に具備したことにより、水平方向の補正後、画像表示用のフレームメモリ等の画像メモリに格納することが必要となり、従って、メモリ書込み制御回路、メモリ等回路規模が小さくなく、その分製品価格の増大となる問題があった。
特に、複数のカメラを接続する場合は画像表示装置の表示を分割する場合があり、その場合分割数に応じて水平方向調整回路が必要になるため、その分製品価格の増大となる問題があった。
【００１０】
この発明は上記のような課題を解決するためになされたもので、同期信号に同期させた映像信号の調整を行う機能を安価に実現することのできる映像表示制御装置及び映像監視装置を得ることを目的とする。
【課題を解決するための手段】
【００１１】
この発明に係る映像表示制御装置は、映像信号と同期信号とを入力し、同期信号に同期させて映像信号を出力する映像表示制御装置であって、同期信号に基づく映像信号の予め決められたタイミングと実際の映像信号のタイミングとのずれを検知する位置検出手段と、位置検出手段でずれを検知した場合、映像信号か同期信号のいずれかを遅延させ、予め決められたタイミングの映像信号として出力する信号調整手段とを備えたものである。
【発明の効果】
【００１２】
この発明の映像表示制御装置は、同期信号に基づく映像信号の予め決められたタイミングと実際の映像信号のタイミングとのずれを検知した場合、映像信号か同期信号のいずれかを遅延させ、予め決められたタイミングの映像信号として出力するようにしたので、同期信号に同期させた映像信号の調整を行う機能を安価に実現することができる。
【図面の簡単な説明】
【００１３】
【図１】この発明の実施の形態１による映像監視装置を示す構成図である。
【図２】この発明の実施の形態１による映像監視装置のＡ／Ｄ変換器を示す構成図である。
【図３】この発明の実施の形態１による映像監視装置の水平位置検出部を示す構成図である。
【図４】この発明の実施の形態１による映像監視装置の遅延制御テーブルを示す説明図である。
【図５】この発明の実施の形態１による映像監視装置水平位置検出部の動作を示すフローチャートである。
【図６】この発明の実施の形態１による映像監視装置の監視画像の表示例を示す説明図である。
【図７】この発明の実施の形態１による映像監視装置の水平同期信号と映像信号との関係を示す説明図である。
【図８】この発明の実施の形態１による映像監視装置の水平同期信号と映像信号との位相ずれを補正する動作の説明図である。
【図９】この発明の実施の形態２による映像監視装置のＡ／Ｄ変換器を示す構成図である。
【発明を実施するための形態】
【００１４】
実施の形態１．
図１は、この発明の実施の形態１による映像監視装置を示す構成図である。
図１に示す映像監視装置は、アナログ出力カメラ１、デジタル出力カメラ２、Ａ／Ｄ変換器３、デジタルレコーダ４、画像表示装置５を備えている。アナログ出力カメラ１は、例えばエレベータの籠内に設けられるカメラであり、ＮＴＳＣコンポジット映像信号１ａを出力する。デジタル出力カメラ２は、その他のエントランス、廊下等に設置されるカメラであり、デジタルレコーダフォーマット化されたイーサネット信号２ａを出力として有している。Ａ／Ｄ変換器３は、コンポジット映像信号１ａをイーサネットインタフェース用のイーサネット信号３ａに変換するＡ／Ｄ変換器である。尚、このＡ／Ｄ変換器３の詳細については図２に示して後述する。デジタルレコーダ４は、アナログ出力カメラ１及びデジタル出力カメラ２の映像信号を録画するためのレコーダである。画像表示装置５は、デジタルレコーダ４に映像ケーブル４ａを介して接続され、デジタルレコーダ４に記憶される映像を表示するための液晶表示装置やＣＲＴ等からなる表示装置である。
【００１５】
図２は、Ａ／Ｄ変換器３の詳細を示す構成図である。
図示のＡ／Ｄ変換器３は、Ａ／Ｄ変換部３１、映像表示制御装置３２、フォーマット変換部３３、イーサネットインタフェース変換部３４を備えている。Ａ／Ｄ変換部３１は、アナログ出力カメラ１から入力したＮＴＳＣコンポジット映像信号１ａを映像信号に同期した映像クロック（図示せず）にてデジタル変換し、デジタル映像信号３１ａとして出力すると共に、ＮＴＳＣコンポジット映像信号に重畳される水平同期信号から生成された水平同期パルス３１ｂを出力する。映像表示制御装置３２は、Ａ／Ｄ変換部３１から出力されるデジタル映像信号３１ａと水平同期パルス３１ｂとを入力し、水平位置調整済みデジタル映像信号３２ａと水平位置調整済み水平同期パルス３２ｂとを出力する。フォーマット変換部３３は、映像表示制御装置３２から出力された水平位置調整済みデジタル映像信号３２ａと水平位置調整済み水平同期パルス３２ｂとを入力し、デジタルレコーダ４に記録可能なフォーマット変換を行って出力する。イーサネットインタフェース変換部３４は、フォーマット変換部３３から出力されたフォーマット変換済み映像信号３３ａをイーサネットインタフェースに合致するイーサネット信号３ａとして出力する。
【００１６】
映像表示制御装置３２は、水平位置検出部（位置検出手段）３５、フリップフロップ回路（Flip Flop）３６〜４５、映像信号用遅延選択回路４６、同期信号用遅延選択回路４７を備えている。水平位置検出部３５は、デジタル映像信号３１ａと水平同期パルス３１ｂとを入力し、映像信号領域の開始を検出するもので、これについては図３を用いて後述する。フリップフロップ回路３６〜４０は、映像信号用遅延回路であり、それぞれの出力が映像信号用遅延選択回路４６に入力されるよう構成されている。また、フリップフロップ回路４１〜４５は、同期信号用遅延回路であり、それぞれの出力が同期信号用遅延選択回路４７に入力されるよう構成されている。映像信号用遅延選択回路４６は、水平位置検出部３５から出力される映像遅延制御信号３５ａに基づいてフリップフロップ回路３６〜４０のいずれかの出力あるいはデジタル映像信号３１ａを選択し、水平位置調整済みデジタル映像信号３２ａとして出力する回路である。また、同期信号用遅延選択回路４７は、水平位置検出部３５から出力される水平同期遅延制御信号３５ｂに基づいてフリップフロップ回路４１〜４５のいずれかの出力あるいは水平同期パルス３１ｂを選択し、水平位置調整済み水平同期パルス３２ｂとして出力する回路である。また、これらフリップフロップ回路３６〜４５、映像信号用遅延選択回路４６及び同期信号用遅延選択回路４７によって、信号調整手段が構成されている。
【００１７】
尚、図２には示していないが、Ａ／Ｄ変換部３１、水平位置検出部３５、フリップフロップ回路３６〜４５、映像信号用遅延選択回路４６、同期信号用遅延選択回路４７及びフォーマット変換部３３には、映像信号に同期してデジタル映像信号データと同周期の映像クロックが供給され、フォーマット変換部３３及びイーサネットインタフェース変換部３４にはイーサネット伝送に同期したクロックが供給される。
また、図２では遅延させるためのフリップフロップ回路３６〜４５はデジタル映像信号用（３６〜４０）に５個、水平同期パルス信号用（４１〜４５）に５個具備されているが、図２は一例であり具備される数は５個に限らない。更に、遅延回路としてフリップフロップ回路を用いているが、同様の機能を有するものであれば他の構成であってもよい。
【００１８】
図３は、図２に示す水平位置検出部３５の構成図である。
図３に示すように、水平位置検出部３５は、分離回路３５１、振幅比較器３５２、計数器３５３、ラッチ回路３５４、差分器３５５、遅延制御信号生成部３５６を備えている。分離回路３５１は、デジタル映像信号３１ａを入力して輝度信号（Ｙ）と色差信号（Ｃｂ，Ｃｒ）とを分離する回路であり、輝度信号（Ｙ）３５１ａを出力する。振幅比較器３５２は、分離回路３５１から出力された輝度信号（Ｙ）３５１ａを入力し、この振幅値と予め設定した閾値Ａ３５７とを比較し、輝度信号（Ｙ）３５１ａが閾値Ａ３５７を超えた場合に有意信号３５２ａを出力する。計数器３５３は、例えば１０ビット計数器であり、映像クロック３５８が入力され、この映像クロック３５８をカウントし、そのカウント値３５３ａを出力する。また、水平同期パルス３１ｂが入力され、この水平同期パルス３１ｂに基づいてカウント値３５３ａがクリアされるよう構成されている。
【００１９】
ラッチ回路３５４は、振幅比較器３５２から出力される有意信号３５２ａが入力された場合、計数器３５３から出力されるカウント値３５３ａをラッチし、そのラッチされた値３５４ａを出力する回路である。差分器３５５は、ラッチ回路３５４から出力される値３５４ａと、予め設けた閾値Ｂ３５９との差分を求め、その求めた差分値３５５ａを出力する。遅延制御信号生成部３５６は、図４に示すような遅延制御テーブル３６０を有し、この遅延制御テーブル３６０を参照して、差分器３５５から出力された差分値３５５ａに対応した映像遅延制御信号３５ａか水平同期遅延制御信号３５ｂを出力する。尚、図４に示す遅延制御テーブル３６０は、差分値に対する映像遅延と水平同期遅延を示すもので、それぞれの差分値（−５〜＋５）に対応した映像遅延（Video_delay0〜Video_delay5）と水平同期遅延（Hsync_delay5〜Hsync_delay0）の値が登録されている。
【００２０】
次に、実施の形態１の映像監視装置の動作について説明する。
先ず、アナログ出力カメラ１からコンポジット映像信号１ａが出力され、Ａ／Ｄ変換器３に入力される。Ａ／Ｄ変換器３では、Ａ／Ｄ変換部３１によってコンポジット映像信号１ａからデジタル映像信号３１ａと水平同期パルス３１ｂとが分離され、出力される。これらデジタル映像信号３１ａと水平同期パルス３１ｂとは映像表示制御装置３２に入力され、水平位置検出部３５に入力されると共に、デジタル映像信号３１ａがフリップフロップ回路３６に、水平同期パルス３１ｂがフリップフロップ回路４１に入力される。
【００２１】
水平位置検出部３５では、入力されたデジタル映像信号３１ａと水平同期パルス３１ｂとに基づき、水平方向のずれを検出する。
図５は、水平位置検出部３５の動作を示すフローチャートである。
先ず、分離回路３５１は、デジタル映像信号３１ａから輝度信号（Ｙ）を分離し、輝度信号（Ｙ）３５１ａとして出力する（ステップＳＴ１）。また、水平同期パルス３１ｂが入力された（水平同期パルス３１ｂが有意になった）場合（ステップＳＴ２）、クリア（計数値＝０）となる（ステップＳＴ３）。一方、ステップＳＴ２において、水平同期パルス３１ｂの入力がない場合、計数器３５３は入力される映像クロック３５８に応じてカウントアップされる（ステップＳＴ４）。
【００２２】
振幅比較器３５２では、入力された輝度信号（Ｙ）３５１ａと閾値Ａ３５７とを比較し、輝度信号（Ｙ）３５１ａ＞閾値Ａ３５７であった場合に有意信号３５２ａ（例えば振幅レベル”Ｈ”となる信号）を出力する（ステップＳＴ５）。ラッチ回路３５４では、振幅比較器３５２から出力される有意信号３５２ａの立ち上がりエッジで計数器３５３から出力されるカウント値３５３ａを保持し、これを値３５４ａ（映像信号領域開始位置に相当する値）として差分器３５５に出力する。差分器３５５では、値３５４ａと閾値Ｂ３５９の差分を算出し（ステップＳＴ６）、差分値３５５ａとして遅延制御信号生成部３５６に出力する。遅延制御信号生成部３５６では、遅延制御テーブル３６０を参照し、映像遅延制御信号３５ａと水平同期遅延制御信号３５ｂを決定する（ステップＳＴ７，ＳＴ８）。即ち、差分値３５５ａが正の値であれば映像信号側を遅延させるようにし、負の値であれば水平同期信号側を遅延させるよう制御信号を出力する。例えば差分値３５５ａが−５であった場合、映像遅延制御信号３５ａが０を示し、水平同期遅延制御信号３５ｂが５を示す。
【００２３】
尚、ここで、振幅比較器３５２において、輝度信号（Ｙ）３５１ａが閾値Ａ３５７を超えた場合に出力する有意信号が振幅レベル”Ｌ”であった場合は、ラッチ回路３５４においては有意信号の立ち下がりエッジで保持することは言うまでもない。
【００２４】
次に、映像表示制御装置３２の動作について説明する。
デジタル映像信号３１ａは、フリップフロップ回路３６に入力され、映像信号に同期した映像クロック１サイクル分遅延して映像信号用遅延選択回路４６及び後段側のフリップフロップ回路３７に入力する。フリップフロップ回路３７〜フリップフロップ回路４０についても同様の動作となり、フリップフロップ回路４０から出力されるデジタル映像信号４０ａ（Video_delay5）は、フリップフロップ回路３６に入力するデジタル映像信号３１ａ（Video_delay0）に対して映像クロック５サイクル分遅延することになる。尚、図２中のVideo_delay0〜Video_delay5（デジタル映像信号４０ａ）は、図４で示した遅延制御テーブル３６０の映像遅延のフィールド値（Video_delay0〜Video_delay5）に対応している。
【００２５】
一方、映像表示制御装置３２に入力された水平同期パルス３１ｂは、フリップフロップ回路４１に入力され、映像信号に同期した映像クロック１サイクル分遅延して同期信号用遅延選択回路４７及び後段側のフリップフロップ回路４２に入力する。フリップフロップ回路４２〜フリップフロップ回路４５についても同様の動作となり、フリップフロップ回路４５から出力される水平同期パルス４５ａ（Hsync_delay5）は、フリップフロップ回路４１に入力する水平同期パルス３１ｂ（Hsync_delay0）に対して映像クロック５サイクル分遅延することになる。尚、図２中のHsync_delay0〜Hsync_delay5（水平同期パルス４５ａ）は、図４で示した遅延制御テーブル３６０の水平同期遅延のフィールド値（Hsync_delay0〜Hsync_delay5）に対応している。
【００２６】
デジタル映像信号３１ａ用として設けられたフリップフロップ回路３６〜４０の各出力は映像信号用遅延選択回路４６に入力され、水平位置検出部３５から出力される映像遅延制御信号３５ａに対応したフリップフロップ回路出力が選択され、水平位置調整済みデジタル映像信号３２ａとしてフォーマット変換部３３に出力される。例えば、映像遅延制御信号３５ａが１を示した場合は、フリップフロップ回路３６の出力が選択されるよう映像信号用遅延選択回路４６の動作を予め決めておく。
【００２７】
一方、水平同期パルス３１ｂ用として設けられたフリップフロップ回路４１〜４５の各出力は同期信号用遅延選択回路４７に入力され、水平位置検出部３５から出力される水平同期遅延制御信号３５ｂに対応したフリップフロップ回路出力が選択され、水平位置調整済み水平同期パルス３２ｂとしてフォーマット変換部３３に出力される。例えば、水平同期遅延制御信号３５ｂが２を示した場合は、フリップフロップ回路４２出力が選択されるよう同期信号用遅延選択回路４７の動作を予め決めておく。
【００２８】
水平位置調整済みデジタル映像信号３２ａと水平位置調整済み水平同期パルス３２ｂとが入力されたフォーマット変換部３３は、所定のフォーマットに変換を行う。更に、イーサネットインタフェース変換部３４にてイーサネット信号に変換した後、イーサネット信号３ａとしてデジタルレコーダ２８に伝送、デジタルレコーダ４に接続された画像表示装置５に水平方向が調整された画像が表示される。
【００２９】
図６は、正常時の画像とずれが生じた画像とを示す説明図であり、（ａ）が正常時、（ｂ）が正常時に対して水平方向（右）にずれた状態、（ｃ）が正常時に対して水平方向（左）にずれた状態を示している。また、図７は、水平同期信号と映像信号領域との関係を示す説明図であり、（ａ）に示す正常時の水平同期信号７０と映像信号領域７１の位相関係に対して、（ｂ）は水平同期信号７２に対して映像信号領域７３がずれ量７４の時間だけ早く表示されることを示し、（ｃ）は水平同期信号７５に対して映像信号領域７６がずれ７７の時間だけ遅く表示されることを示している。図８は、Ａ／Ｄ変換部３１から出力されるデジタル映像信号３１ａと水平同期パルス３１ｂを用いて、ずれた水平位置の補正を説明する図である。
【００３０】
例えば、コンポジット映像信号１ａから得られたデジタル映像信号３１ａが図７（ｂ）に示すように、図７（ａ）に示す正常な状態より映像信号領域が時間的に早い場合の動作について説明する。このとき画像表示装置５に表示される映像は図６（ｃ）に示す状態である。
図７（ｂ）に相当するＡ／Ｄ変換部３１の出力を図８（１ｂ）に示す。図８（１ｂ）の例では、図８（１ａ）に示すデジタル映像信号の正常な状態に対して、映像クロック２サイクル分早く出力される。これをずれ量７４＝＋２とする。このずれ量７４は水平同期パルスからの時間で表すことができるため、ずれ量７４を補正するには、フリップフロップ回路３７の出力を選択すれば、正常な状態となる。
【００３１】
次に、例えば、コンポジット映像信号１ａから得られたデジタル映像信号３１ａが図７（ｃ）に示すように、図７（ａ）に示す正常な状態より映像信号領域が時間的に遅い場合の動作について説明する。このとき画像表示装置５に表示される映像は図６（ｂ）に示す状態である。
図７（ｃ）に相当するＡ／Ｄ変換部３１出力を図８（２ｂ）に示す。図８（２ｂ）の例では、図８（２ａ）に示すデジタル映像信号の正常な状態に対して、映像クロック２サイクル分遅く出力される。これをずれ量７７＝−２とする。このずれ量７７は水平同期パルスからの時間で表すことができるため、ずれ量７７を補正するにはフリップフロップ回路４２の出力を選択すれば、正常な状態となる。即ち、図８（ｃ）に示すように水平同期パルス３１ｂをずれ量７７に対応した量だけ遅延させることで、水平同期パルス３１ｂとデジタル映像信号３１ａとの位相関係が正常な関係となる。
【００３２】
以上のように、実施の形態１の映像表示制御装置によれば、映像信号と同期信号とを入力し、同期信号に同期させて映像信号を出力する映像表示制御装置であって、同期信号に基づく映像信号の予め決められたタイミングと実際の映像信号のタイミングとのずれを検知する位置検出手段と、位置検出手段でずれを検知した場合、映像信号か同期信号のいずれかを遅延させ、予め決められたタイミングの映像信号として出力する信号調整手段とを備えたので、同期信号に同期させた映像信号の調整を行う機能を安価に実現することができる。
【００３３】
また、実施の形態１の映像表示制御装置によれば、信号調整手段は、映像信号を入力する複数の直列接続された映像信号用遅延回路と、同期信号を入力する複数の直列接続された同期信号用遅延回路と、複数の映像信号用遅延回路のいずれかの出力を選択する映像信号用選択回路と、複数の同期信号用遅延回路のいずれかの出力を選択する同期信号用選択回路とを備え、位置検出手段で検知したずれの度合いが、同期信号に基づく映像信号の予め決められたタイミングより実際の映像信号のタイミングが早かった場合は、映像信号用選択回路がずれ量に対応した映像信号用遅延回路の出力を選択し、同期信号に基づく映像信号の予め決められたタイミングより実際の映像信号のタイミングが遅かった場合は、同期信号用選択回路がずれ量に対応した同期信号用遅延回路の出力を選択するようにしたので、ずれの位置補正のためにメモリ等を使用せず、遅延回路やその遅延回路出力の選択回路を用いて実現しているため、より安価に映像信号の調整機能を実現することが可能である。
【００３４】
また、実施の形態１の映像表示制御装置によれば、位置検出手段は、同期信号に基づく映像信号の予め決められたタイミングと、実際の映像信号のタイミングとの差分値を演算する差分手段と、予め差分値と遅延量との関係を示す差分制御テーブルを有し、差分制御テーブルを参照して、差分手段が求めた差分値に対応した遅延量を示す遅延制御信号を出力する遅延量制御手段とを備えたので、簡単な構成で精度の高い遅延制御信号を得ることができ、従って、映像信号の調整を精度よく行うことができる。
【００３５】
また、実施の形態１の映像監視装置によれば、映像表示制御装置を用い、この映像表示制御装置は、映像信号と同期信号をアナログ出力カメラの出力信号から分離して取得し、かつ、映像表示制御装置からの映像信号に基づいて映像を表示する画像表示装置を備えたので、アナログ出力カメラの出力として映像信号と同期信号にずれがある場合でも、容易にずれを補正することができる。
【００３６】
また、実施の形態１の映像監視装置によれば、アナログ出力カメラの出力からデジタル映像信号と同期パルスとを取り出すＡ／Ｄ変換部を備え、デジタル映像信号と同期パルスは、それぞれ映像表示制御装置の映像信号用遅延回路と同期信号用遅延回路とに入力され、かつ、位置検出手段は、デジタル映像信号を映像信号、同期パルスを同期信号としてずれ量を算出するようにしたので、デジタル映像信号と同期パルスとの間にずれが生じた場合でも容易にそのずれを補正することができる。
【００３７】
実施の形態２．
図９は、この発明の実施の形態２による映像監視装置を示す構成図である。
実施の形態２の映像表示制御装置及び映像監視装置は、Ａ／Ｄ変換器３０の映像表示制御装置３２０における水平位置検出部３５０に、外部より水平位置補正指示信号９０を入力するよう構成し、この水平位置補正指示信号９０が有効な場合にのみ、水平位置検出部３５０による遅延選択を実施し、外部からの水平位置補正指示信号９０が無効時は現状の映像遅延制御信号３５ａ及び水平同期遅延制御信号３５ｂを保持するようにしたものである。尚、水平位置検出部３５０における具体的な実現方法としては、例えば、図３に示す遅延制御信号生成部３５６が水平位置補正指示信号９０が有効であった場合にのみ制御信号の更新処理を行い、水平位置補正指示信号９０が有効でない場合は、生成した映像遅延制御信号３５ａと水平同期遅延制御信号３５ｂの値をそのまま保持する、といった構成とする。これ以外のＡ／Ｄ変換器３０内の構成については、図２に示した実施の形態１におけるＡ／Ｄ変換器３内の構成と同様であるため、対応する部分に同一符号を付してその説明を省略する。
【００３８】
このように構成された実施の形態２の映像監視装置では、例えば、Ａ／Ｄ変換器３０上に操作器（図示せず）を追加し、この操作器を操作することで使用者が任意のタイミングで水平位置補正指示信号９０を有効とし、水平位置調整を行うことが可能である。このため、アナログ出力カメラ１（図１参照）から出力されるＮＴＳＣコンポジット映像信号１ａに重畳したノイズにより水平位置補正を行う映像表示制御装置３２０が誤動作することを防ぐことができ、または、水平位置調整に適した（輝度レベルが大きい）映像を写した場合にのみ水平位置調整を行うことが可能となるため、水平位置調整が効率よくかつ精度よく行うことが可能となる。
【００３９】
以上のように、実施の形態２の映像表示制御装置によれば、位置検出手段は、外部より位置補正指示を受け付ける手段を備え、位置補正指示を受けた場合にずれ量の算出を行い、位置補正指示を受けていない場合は、それ以前に生成した遅延制御信号の状態を保持するようにしたので、入力信号へのノイズの重畳による誤動作を防ぐことができ、また、位置調整を効率よくかつ精度よく行うことができる。
【００４０】
尚、上記実施の形態１，２では水平方向にずれが生じる場合について説明したが、垂直同期信号に同期させて映像を表示する場合、垂直方向のずれに対しても同様に適用可能である。
【符号の説明】
【００４１】
１  アナログ出力カメラ、１ａ  コンポジット映像信号、２  デジタル出力カメラ、３，３０  Ａ／Ｄ変換器、３ａ  イーサネット信号、４  デジタルレコーダ、５  画像表示装置、３１  Ａ／Ｄ変換部、３１ａ  デジタル映像信号、３１ｂ  水平同期パルス、３２，３２０  映像表示制御装置、３２ａ  水平位置調整済みデジタル映像信号、３２ｂ  水平位置調整済み水平同期パルス、３３  フォーマット変換部、３４  イーサネットインタフェース変換部、３５，３５０  水平位置検出部、３５ａ  映像遅延制御信号、３５ｂ  水平同期遅延制御信号、３６〜４５  フリップフロップ回路、４６  映像信号用遅延選択回路、４７  同期信号用遅延選択回路、９０  水平位置補正指示信号、３５１  分離回路、３５１ａ  輝度信号、３５２  振幅比較器、３５２ａ  有意信号、３５３  計数器、３５３ａ  カウント値、３５４  ラッチ回路、３５４ａ  値、３５５  差分器、３５５ａ  差分値、３５６  遅延制御信号生成部、３５７  閾値Ａ、３５８  映像クロック、３５９  閾値Ｂ、３６０  遅延制御テーブル。
【図１】
2011234080.tif 000003
【図２】
2011234080.tif 000004
【図３】
2011234080.tif 000005
【図４】
2011234080.tif 000006
【図５】
2011234080.tif 000007
【図６】
2011234080.tif 000008
【図７】
2011234080.tif 000009
【図８】
2011234080.tif 000010
【図９】
2011234080.tif 000011